【手続補正書】
【提出日】令和2年2月10日(2020.2.10)
【手続補正１】
【補正対象書類名】特許請求の範囲
【補正対象項目名】全文
【補正方法】変更
【補正の内容】
【特許請求の範囲】
【請求項１】
身体マッサージ機器であって、  身体の下肢に脱離可能に装着される支持ホルダと、  前記身体の肛門および肛門周囲皮膚への圧縮および／またはこすりマッサージのための、前記支持ホルダ上に装着された肛門マッサージアセンブリと、を備える、身体マッサージ機器。
【請求項２】
前記支持ホルダが、  前記身体の脚を挟持および固定するための脚挟持構造（２）と、  様々なマッサージアセンブリを装着するための、前記脚挟持構造（２）上に装着されたマッサージアセンブリ装着ブラケット（１）と、を備える、請求項１に記載の身体マッサージ機器。
【請求項３】
前記脚挟持構造（２）が、前記身体の大腿の前側および後側に圧縮力を及ぼすことによる挟持および固定のための、線形形状、曲線形形状、またはひだ状形状に並置された一対の側方アームの少なくとも１つの列、または  挟持および固定のための圧縮力を及ぼしながら、身体の大腿にスリーブのように構成される少なくとも一組の密閉された固定バンドを備える、請求項２に記載の身体マッサージ機器。
【請求項４】
前記脚挟持構造（２）が前記身体の脚を挟持および固定するときに、前記マッサージアセンブリ装着ブラケット（１）が、前記身体の両脚の間に位置決めされ、その結果、前記身体の前記脚が所定の動作を遂行するときに、前記マッサージアセンブリ装着ブラケット（１）上に装着された前記マッサージアセンブリが、前記脚の運動と共に前記身体に対して移動する、請求項２に記載の身体マッサージ機器。
【請求項５】
前記一対の側方アームの間の距離が、異なる身体の脚のサイズまたは前記身体の異なる脚の部分に適合するように調節可能であるように構成されている、請求項３に記載の身体マッサージ機器。
【請求項６】
前記肛門マッサージアセンブリが、  前記支持ホルダ上に装着された肛門マッサージアーム（３）と、  肛門マッサージヘッド（４）と、を備え、前記肛門マッサージヘッド（４）が、前記肛門マッサージアーム（３）の一方の端部に装着され、前記肛門マッサージアーム（３）の効果の下、肛門部分に圧縮力を及ぼし、それによって前記肛門および前記肛門周囲皮膚への圧縮マッサージを実施するように構成されており、かつ前記肛門マッサージアーム（３）上の前記肛門マッサージヘッド（４）の移動、または前記肛門マッサージアーム（３）の移動に伴う前記肛門マッサージヘッド（４）の移動によって前記肛門および前記肛門周囲皮膚へのこすりマッサージを遂行するように構成されている、請求項１に記載の身体マッサージ機器。
【請求項７】
前記肛門マッサージアーム（３）が、前記支持ホルダ上に設けられた回転シャフトディスク（３．１）によって前記支持ホルダに回転可能に接続されており、前記肛門マッサージヘッド（４）が前記肛門および前記肛門周囲皮膚を圧縮するように、前記肛門マッサージアーム（３）と前記支持ホルダとの間に設けられた弾性要素が、前記肛門マッサージアーム（３）に向かってトルクを及ぼすように構成されている、請求項６に記載の身体マッサージ機器。
【請求項８】
前記弾性要素の弾性力が、調節可能である、請求項７に記載の身体マッサージ機器。
【請求項９】
前記肛門マッサージヘッド（４）が、前記肛門マッサージアーム（３）に対して適所に、脱離可能、交換可能、および／または調節可能である、請求項６に記載の身体マッサージ機器。
【請求項１０】
括約筋マッサージヘッド（８、８’、８’ ’）と、選択的に設けられた括約筋マッサージアームと、をさらに備え、前記括約筋マッサージヘッド（８、８’、８’ ’）が、前記肛門括約筋への圧縮および／またはこすりマッサージを遂行するために、前記肛門マッサージアセンブリおよび／もしくは前記支持ホルダ上に直接または前記括約筋マッサージアームによって装着され、前記肛門マッサージアセンブリの左側および右側または前側および後側に位置する、請求項１に記載の身体マッサージ機器。
【請求項１１】
前記身体の陰茎への圧縮および／またはこすりマッサージを遂行するための、前記支持ホルダ上に装着された陰茎マッサージアセンブリをさらに備える、請求項１に記載の身体マッサージ機器。
【請求項１２】
前記陰茎マッサージアセンブリが、  前記支持ホルダ上に装着された陰茎マッサージアーム（７）と、  前記陰茎マッサージアーム（７）の一方の端部に装着された陰茎マッサージヘッド（６）であって、前記陰茎に圧縮力を及ぼし、それによって前記陰茎への圧縮マッサージを実施するため、および前記陰茎マッサージヘッド（６）に対する前記陰茎の移動と共に前記陰茎へのこすりマッサージを遂行するための、陰茎マッサージヘッド（６）と、を備える、請求項１１に記載の身体マッサージ機器。
【請求項１３】
前記陰茎マッサージヘッド（６）が、少なくとも部分的に密閉された管状構造、または前記陰茎マッサージアーム（７）の長さ方向に沿って配置された複数の少なくとも部分的に密閉された環状構造（６．１）を備え、前記管状構造または前記環状構造（６．１）の中空部分が前記陰茎を受容するように構成されている、請求項１２に記載の身体マッサージ機器。
【請求項１４】
前記管状構造もしくは前記環状構造（６．１）が、弾性構造であるか、もしくは弾性材料製であるか、または  前記管状構造もしくは前記環状構造（６．１）の内壁が、弾性構造であるか、もしくは弾性材料製であるか、または  前記管状構造もしくは前記環状構造（６．１）の内壁が、前記陰茎の外側輪郭に実質的に一致する輪郭形状で構成されているか、または  前記管状構造もしくは前記環状構造（６．１）の全体もしくは内壁部分が、非弾性構造であるか、もしくは非弾性材料製である、請求項１３に記載の身体マッサージ機器。
【請求項１５】
前記身体の会陰部への圧縮および／またはこすりマッサージを遂行するための、前記支持ホルダ、前記肛門マッサージアセンブリ、および／または前記陰茎マッサージアセンブリ上に装着された会陰部マッサージアセンブリをさらに備える、請求項１１に記載の身体マッサージ機器。
【請求項１６】
前記会陰部マッサージアセンブリが、会陰部マッサージヘッド（５．１）と、選択的に設けられた会陰部マッサージアーム（５．３）と、を備え、前記会陰部マッサージヘッド（５．１）が、前記支持ホルダ、前記肛門マッサージアセンブリ、および／または前記陰茎マッサージアセンブリ上に直接または前記会陰部マッサージアーム（５．３）によって装着されている、請求項１５に記載の身体マッサージ機器。
【請求項１７】
前記門内部の前立腺への圧縮および／またはこすりマッサージを遂行するために前記肛門内へ挿入するための、前記支持ホルダ上に直接または前記肛門マッサージアセンブリによって装着された挿入タイプの前立腺マッサージ器をさらに備える、請求項１に記載の身体マッサージ機器。
【請求項１８】
前記身体の少なくとも脚および腰−臀部部分に着用可能で、前記支持ホルダを前記身体の前記下肢に固定するのを助けるように前記支持ホルダを支承する支承衣服をさらに備え、前記支承衣服がさらに、前記支持ホルダおよび前記支持ホルダ上に装着された様々なマッサージアセンブリを少なくとも部分的に包覆し、それによって様々なマッサージアセンブリが前記身体の対応する位置に接近するのを助ける、請求項１に記載身体マッサージ機器。
【請求項１９】
前記支承衣服が、支承パンツ（９）であり、前記支承パンツ（９）の上側には、包覆サイズを調節するための腰ベルト、引きロープ、または弾性ロープを有する腰−臀部包覆部分（９．１）が設けられており、前記支承パンツ（９）の下側には、前記身体の前記大腿を包覆する脚包覆部分（９．２）が設けられており、両側の前記脚包覆部分（９．２）の間には股包覆部分が設けられており、その結果、前記腰−臀部包覆部分（９．１）、前記脚包覆部分（９．２）、および前記股包覆部分が前記支持ホルダを一緒に支承し、かつ前記支持ホルダおよび前記支持ホルダ上の様々なマッサージアセンブリを一緒に包覆する、請求項１８に記載の身体マッサージ機器。
【請求項２０】
前記腰−臀部包覆部分（９．１）上にはベストバンド（９．５）が装着されており、前記ベストバンド（９．５）が、前記支承パンツ（９）の支承効果を助けるように、前記支持ホルダおよび前記支持ホルダ上に装着された様々なマッサージアセンブリに接続されている、請求項１９に記載の身体マッサージ機器。
【請求項２１】
請求項１に記載の身体マッサージ機器を操作する方法であって、  前記支持ホルダを身体の下肢に装着し、前記肛門マッサージアセンブリを前記身体の肛門の位置に当接させることと、  前記身体によって遂行された所定の反復動作によって、前記肛門マッサージアセンブリに前記身体の前記肛門および前記肛門周囲皮膚への圧縮および／またはこすりマッサージを遂行させることと、を含む、方法。
【請求項２２】
前記所定の反復動作が、前記身体の起立状態での腰または膝の反復された屈曲および伸展動作である、請求項２１に記載の操作方法。
【請求項２３】
前記支持ホルダが、前記身体の脚を挟持および固定するための脚挟持構造（２）と、様々なマッサージアセンブリを装着するための、前記脚挟持構造（２）上に装着されたマッサージアセンブリ装着ブラケット（１）と、を備え、前記操作方法が、  前記支持ホルダが前記身体の前記脚に装着されると、前記マッサージアセンブリ装着ブラケット（１）上に装着された前記様々なマッサージアセンブリを前記身体の対応する位置に当接させることと、  前記身体が所定の反復動作を遂行するときに、前記様々なマッサージアセンブリに、前記身体の対応する位置への圧縮および／またはこすりマッサージを遂行させることと、をさらに含む、請求項２１に記載の操作方法。